(57)【要約】【課題】  従来に比べて保守作業の効率が向上した塗装ブース循環水タンクを提供する。【解決手段】  塗装区画と洗浄塔とを備える塗装ブースの下方に配置される塗装ブース循環水タンクであって、側方に凸の湾曲板と湾曲板の上端部に側方から近接対峙する塗装区画側壁とで構成されるベンチュリーの構成部材である湾曲板を備える塗装ブース循環水タンクにおいて、塗装区画の直下の第１区画と、洗浄塔に対峙する湾曲板の直下の第２区画と、塗料スラッジ処理区画とを備え、第１区画と塗料スラッジ処理区画とには塗装ブース循環水が貯留され、第１区画と塗料スラッジ処理区画とは連通し、第２区画は塗装ブース循環水が侵入しない水密区画である。【選択図】図１
2019018173.tif 000002
【特許請求の範囲】
【請求項１】
塗装区画と洗浄塔とを備える湿式塗装ブースの下方に配置される塗装ブース循環水タンクであって、側方に凸の湾曲板と湾曲板の上端部に側方から近接対峙する塗装区画側壁とで構成されるベンチュリーの構成部材である湾曲板を備える塗装ブース循環水タンクにおいて、塗装区画の直下の第１区画と、洗浄塔に対峙する湾曲板の直下の第２区画と、塗料スラッジ処理区画とを備え、第１区画と塗料スラッジ処理区画とには塗装ブース循環水が貯留され、第１区画と塗料スラッジ処理区画とは連通し、第２区画は塗装ブース循環水が侵入しない水密区画であることを特徴とする塗装ブース循環水タンク。
【請求項２】
第２区画の頂板が、ベンチュリーを通過した塗装ブース循環水を塗料スラッジ処理区画へ導く傾斜導水路を形成することを特徴とする請求項１に記載の塗装ブース循環水タンク。
【請求項３】
傾斜導水路の末端は、塗料スラッジ処理区画内の塗装ブース循環水の水面よりも上方に位置決めされていることを特徴とする請求項２に記載の塗装ブース循環水タンク。
【請求項４】
塗料スラッジ処理区画は、第１区画との連通部を形成する一端部と、前記一端部から遠ざかった他端部との間で延在し、傾斜導水路の末端は塗料スラッジ処理区画の他端部に対峙することを特徴とする請求項２又は３に記載の塗装ブース循環水タンク。
【請求項５】
塗料スラッジ処理区画内に、前記他端部から前記一端部へ向かう塗装ブース循環水の流れに直交し且つ水面に達しない偏向堰が設けられていることを特徴とする請求項４に記載の塗装ブース循環水タンク。
【請求項６】
偏向堰は着脱可能であることを特徴とする請求項５に記載の塗装ブース循環水タンク。
【請求項７】
塗料スラッジ処理区画の一端部の近傍に、前記他端部から前記一端部へ向かう塗装ブース循環水の流れに直交する第１堰と、前記他端部から前記一端部へ向かう塗装ブース循環水の流れに平行な第２堰と、によって塗料スラッジ処理区画から隔てられた循環ポンプ連通区画が形成され、塗料スラッジ処理区画の一端部内の塗装ブース循環水が第２堰からオーバーフローして循環ポンプ連通区画に流入することを特徴とする請求項４乃至６の何れか１項に記載の塗装ブース循環水タンク。
【請求項８】
塗装ブース循環水タンクの水位を調整する部材が第２堰の頂部に取り付けられていることを特徴とする請求項７に記載の塗装ブース循環水タンク。
【請求項９】
第２堰の下部に開口が形成され、開口の面積を調整する部材が第２堰に取り付けられていることを特徴とする請求項７又は８に記載の湿式塗装ブースの塗装ブース循環水タンク。
【請求項１０】
第２堰に平行に延在する塗料スラッジ処理区画の一端部が棚板によって上部区画と下部区画とに２分割されており、上部区画は第２堰の上縁に対峙し、下部区画は第１区画に連通することを特徴とする請求項７乃至９の何れか１項に記載の湿式塗装ブースの塗装ブース循環水タンク。
【請求項１１】
棚板は着脱可能であることを特徴とする請求項１０に記載の湿式塗装ブースの塗装ブース循環水タンク。
【請求項１２】
塗料スラッジ処理区画は、第２区画を間に挟んで第１区画に対峙していることを特徴とする請求項１乃至１１の何れか１項に記載の塗装ブース循環水タンク。
【請求項１３】
第１区画と塗料スラッジ処理区画との間の連通路が、第１区画と第２区画と塗料スラッジ処理区画とに対峙して前記３区画の外側に配設されていることを特徴とする請求項１２に記載の塗装ブース循環水タンク。
【請求項１４】
連通路は、第１区画の底部と塗料スラッジ処理区画の底部とを連通させることを特徴とする請求項１３に記載の塗装ブース循環水タンク。
【請求項１５】
塗料スラッジ処理区画は、第１区画と第２区画とに対峙して前記２区画の外側に配設されていることを特徴とする請求項１乃至１１の何れか１項に記載の塗装ブース循環水タンク。
【請求項１６】
塗料スラッジ処理区画は、第１区画に直接連通していることを特徴とする請求項１５に記載の塗装ブース循環水タンク。
【請求項１７】
塗料スラッジ処理区画の底部が第１区画の底部に連通していることを特徴とする請求項１６に記載の塗装ブース循環水タンク。
【請求項１８】
塗料スラッジ処理区画の開放された上端を覆う蓋部材を備えることを特徴とする請求項１２又は１５に記載の塗装ブース循環水タンク。
【請求項１９】
マイクロバブル発生装置が塗料スラッジ処理区画に接続されていることを特徴とする請求項１乃至１８の何れか１項に記載の塗装ブース循環水タンク。
【請求項２０】
請求項１乃至１９の何れか１項に記載の塗装ブース循環水タンクを備えることを特徴とする湿式塗装ブース。
【発明の詳細な説明】
【技術分野】
【０００１】
本発明は、塗装区画と洗浄塔とを備える湿式塗装ブースの下方に配置される塗装ブース循環水タンクであって、側方に凸の湾曲板と湾曲板の上端部に側方から近接対峙する塗装区画側壁とで構成されるベンチュリーの構成部材である湾曲板を備える塗装ブース循環水タンクに関するものである。
【背景技術】
【０００２】
従来の塗装ブース循環水タンクにおいては、特許文献１に開示されているように、ベンチュリーの構成部材である湾曲板の直下にも塗装ブース循環水が存在していた。
【先行技術文献】
【特許文献】
【０００３】
【特許文献１】特開平７−００８７４６号公報
【発明の概要】
【発明が解決しようとする課題】
【０００４】
従来の塗装ブース循環水タンクにおいては、ベンチュリーの構成部材である湾曲板の直下にも塗装ブース循環水が存在していたので、塗装ブース循環水タンクの保守点検時に、湾曲板直下の狭い空間の点検に時間が掛かり、保守作業の効率を低下させていた。
本発明は上記課題に鑑みてなされたものであり、従来に比べて保守作業の効率が向上した塗装ブース循環水タンクを提供することを目的とする。
【課題を解決するための手段】
【０００５】
上記課題を解決するために、本発明においては、塗装区画と洗浄塔とを備える湿式塗装ブースの下方に配置される塗装ブース循環水タンクであって、側方に凸の湾曲板と湾曲板の上端部に側方から近接対峙する塗装区画側壁とで構成されるベンチュリーの構成部材である湾曲板を備える塗装ブース循環水タンクにおいて、塗装区画の直下の第１区画と、洗浄塔に対峙する湾曲板の直下の第２区画と、塗料スラッジ処理区画とを備え、第１区画と塗料スラッジ処理区画とには塗装ブース循環水が貯留され、第１区画と塗料スラッジ処理区画とは連通し、第２区画は塗装ブース循環水が侵入しない水密区画であることを特徴とする塗装ブース循環水タンクを提供する。
本発明においては、ベンチュリーを構成する湾曲板の直下の第２区画は、塗装ブース循環水が侵入しない水密区画なので、保守時に当該区画は点検の必要がない。この結果、保守作業の効率が向上する。
【０００６】
本発明の好ましい態様においては、第２区画の頂板が、ベンチュリーを通過した塗装ブース循環水を塗料スラッジ処理区画へ導く傾斜導水路を形成する。
第２区画の頂板が形成する傾斜導水路を介して、ベンチュリーを通過した塗料ミストを含む塗装ブース循環水を、塗料スラッジ処理区画の最適部位へ導くことができる。
本発明の好ましい態様においては、傾斜導水路の末端は、塗料スラッジ処理区画内の塗装ブース循環水の水面よりも上方に位置決めされている。
傾斜導水路の末端を、塗料スラッジ処理区画内の塗装ブース循環水の水面よりも上方に位置決めすることにより、ベンチュリーを通過した塗料ミストを含む塗装ブース循環水を、確実に塗料スラッジ処理区画に流入させることができる。
【０００７】
本発明の好ましい態様においては、塗料スラッジ処理区画は、第１区画との連通部を形成する一端部と、前記一端部から遠ざかった他端部との間で延在し、傾斜導水路の末端は塗料スラッジ処理区画の他端部に対峙する。
第１区画との連通部を形成する一端部から遠ざかった塗料スラッジ処理区画の他端部に、塗装ブース循環水を導くことにより、塗料ミストを吸収した塗装ブース循環水の塗料スラッジ処理区画内での滞留時間を長くして、塗料スラッジの浮上を促進することができる。
本発明の好ましい態様においては、塗料スラッジ処理区画内に、前記他端部から前記一端部へ向かう塗装ブース循環水の流れに直交し且つ水面に達しない偏向堰が設けられている。
塗料スラッジ処理区画の他端部に上方から流入した塗装ブース循環水は、他端部の底部まで沈み込んだ後、偏向堰によって上方へ差し向けられ、塗料スラッジが水面上に浮上する。この結果塗料スラッジの回収作業効率が向上する。
本発明の好ましい態様においては、偏向堰は着脱可能である。
偏向堰を着脱可能とすることにより、塗装ブース循環水タンクの保守作業時に、偏向堰を取り外して、保守作業の効率を向上させることができる。
【０００８】
本発明の好ましい態様においては、塗料スラッジ処理区画の一端部の近傍に、前記他端部から前記一端部へ向かう塗装ブース循環水の流れに直交する第１堰と、前記他端部から前記一端部へ向かう塗装ブース循環水の流れに平行な第２堰と、によって塗料スラッジ処理区画から隔てられた循環ポンプ連通区画が形成され、塗料スラッジ処理区画の一端部内の塗装ブース循環水が第２堰からオーバーフローして循環ポンプ連通区画に流入する。
塗料スラッジ処理区画内の塗装ブース循環水の水位が、第２堰上縁の高さ位置に維持される。
第２堰からオーバーフローした塗装ブース循環水を塗装ブースや洗浄塔へ還流させることにより、塗装ブース循環水タンクの水位を適正値に維持しつつ、塗装ブースや洗浄塔に塗装ブース循環水を供給することができる。塗料スラッジ処理区画内の塗装ブース循環水の流れに平行に延在する第２堰から塗装ブース循環水をオーバーフローさせることにより、循環ポンプ連通区画への塗料スラッジの流入を抑制することができる。
本発明の好ましい態様においては、塗装ブース循環水タンクの水位を調整する部材が第２堰の頂部に取り付けられている。
水位調整部材の配設により、塗装ブース循環水タンクの水位をベンチュリーに最適な値に調整することができる。
本発明の好ましい態様においては、第２堰の下部に開口が形成され、開口の面積を調整する部材が第２堰に取り付けられている。
循環ポンプの作動時に、循環ポンプ連通区画の水位が下がり、エアを吸い込む事態が発生する可能性がある。第２堰の下部に開口を形成し、開口の面積を調整して、循環ポンプ連通区画の水位を、エアの吸い込みを起こさず且つ塗料スラッジ処理区画との間に水位差が生ずる値に維持するのが望ましい。
【０００９】
本発明の好ましい態様においては、第２堰に平行に延在する塗料スラッジ処理区画の一端部が棚板によって上部区画と下部区画に２分割されており、上部区画第２堰の上縁に対峙し、下部区画は第１区画に連通する。
第２堰に平行に延在する塗料スラッジ処理区画の一端部を、第２堰の上縁に対峙する上部区画と、第１区画に連通する下部区画とに分割することにより、第１区画への塗料スラッジの流入を防止することができる。
本発明の好ましい態様においては、棚板は着脱可能である。
棚板を着脱可能とすることにより、塗装ブース循環水タンクの保守作業時に、棚板を取り外して、保守作業の効率を向上させることができる。
【００１０】
本発明の好ましい態様においては、塗料スラッジ処理区画は、第２区画を間に挟んで第１区画に対峙している。
塗料スラッジ処理区画を、第２区画を間に挟んで第１区画に対峙させることにより、塗料スラッジ処理区画の長さを、第１区画の長さ、ひいては湿式塗装ブースの塗装区画の長さと同一長さとして、塗料ミストを含む塗装ブース循環水の塗料スラッジ処理区画内での滞留時間を長くし、塗料スラッジの浮上を促進することができる。
本発明の好ましい態様においては、第１区画と塗料スラッジ処理区画との間の連通路が、第１区画と第２区画と塗料スラッジ処理区画とに対峙して前記３区画の外側に配設されている。
第１区画と塗料スラッジ処理区画との間の連通路を、第１区画と第２区画と塗料スラッジ処理区画とに対峙し、前記３区画の外側に配設することにより、前記３区画の構造が簡素化され、塗装ブース循環水タンクの保守作業の効率が向上する。
本発明の好ましい態様においては、連通路は、第１区画の底部と塗料スラッジ処理区画の底部とを連通させる。
塗料スラッジ処理区画の底部を第１区画の底部に連通させることにより、第１区画への塗料スラッジの流入を防止することができる。
【００１１】
本発明の好ましい態様においては、塗料スラッジ処理区画は、第１区画と第２区画とに対峙して前記２区画の外側に配設されている。
塗料スラッジ処理区画を、第１区画と第２区画とに対峙して前記２区画の外側に配設することにより、塗装ブース循環水タンクを小型化できる。
本発明の好ましい態様においては、塗料スラッジ処理区画は第１区画に直接連通している。
塗料スラッジ処理区画を第１区画に直接連通させることにより、第１区画と塗料スラッジ処理区画との間の連通路を別個設ける場合に比べて、塗装ブース循環水タンクの構造が簡素化される。
本発明の好ましい態様においては、塗料スラッジ処理区画の底部が第１区画の底部に連通している。
塗料スラッジ処理区画の底部を第１区画の底部に連通させることにより、第１区画への塗料スラッジの流入を防止することができる。
【００１２】
本発明の好ましい態様においては、塗装ブース循環水タンクは、塗料スラッジ処理区画の開放された上端を覆う蓋部材を備える。
本発明に係る塗装ブース循環水タンクを、塗装区画と洗浄塔とを備える湿式塗装ブースの下方に配置すると、第１区画は塗装ブースの塗装区画で覆われ、第２区画は塗装ブースの洗浄塔で覆われるが、塗料スラッジ処理区画は外部環境に暴露されることになる。塗料スラッジ処理区画の開放された上端を覆う蓋部材を配設することにより、塗料スラッジ処理区画内の塗装ブース循環水に外部環境から異物が混入する事態の発生が防止される。
【００１３】
本発明の好ましい態様においては、マイクロバブル発生装置が塗料スラッジ処理区画に接続されている。
マイクロバブルを塗装ブース循環水に混入させることにより、塗装ブース循環水中の塗料スラッジの分解が促進される。
本発明においては、上記何れかの塗装ブース循環水タンクを備える湿式塗装ブースを提供する。
本発明に係る湿式塗装ブースにおいては、保守時に塗装ブース循環水タンクのベンチュリー直下の区画を点検する必要がないので、保守作業の効率が向上する。
【発明の効果】
【００１４】
本発明により、従来に比べて保守作業の効率が向上した塗装ブース循環水タンクが提供される。
【図面の簡単な説明】
【００１５】
【図１】本発明の第１実施例に係る塗装ブース循環水タンクの構成図である。（ａ）は平面図であり、（ｂ）は（ａ）のｂ−ｂ矢視図であり、（ｃ）は（ａ）のｃ−ｃ矢視図である。
【図２】本発明の第１実施例に係る塗装ブース循環水タンクの構成図である。（ｄ）は図１（ａ）のｄ−ｄ矢視図であり、（ｅ）は図１（ａ）のｅ−ｅ矢視図である。
【図３】本発明の第１実施例に係る塗装ブース循環水タンクを下方に取り付けた湿式塗装ブースの構成図である。
【図４】本発明の第２実施例に係る塗装ブース循環水タンクの構成図である。（ａ）は平面図であり、（ｂ）は（ａ）のｂ−ｂ矢視図であり、（ｃ）は（ａ）のｃ−ｃ矢視図である。
【発明を実施するための形態】
【００１６】
図１〜３に示すように、本発明の第１実施例に係る塗装ブース循環水タンク１は、塗装区画１００ａと洗浄塔１００ｂとを備える湿式塗装ブース１００の下方に配置される塗装ブース循環水タンクであって、側方に凸の湾曲板２ａと湾曲板２ａの上端部に側方から近接対峙する塗装区画側壁１００ａ１とで構成されるベンチュリー２の構成部材である湾曲板２ａを備える塗装ブース循環水タンクである。
塗装ブース循環水タンク１は、塗装区画１００ａの直下の第１区画１ａと、洗浄塔１００ｂに対峙する湾曲板２ａの直下の第２区画１ｂと、第２区画１ｂを間に挟んで第１区画１ａに対峙する塗料スラッジ処理区画１ｃとを備えている。
第１区画１ａと塗料スラッジ処理区画１ｃとには塗装ブース循環水が貯留されている。第１区画１ａと塗料スラッジ処理区画１ｃとは連通路１ｄを介して連通している。第２区画１ｂは塗装ブース循環水が侵入しない水密区画である。
連通路１ｄは、第１区画１ａと第２区画１ｂと塗料スラッジ処理区画１ｃとに対峙して、前記３区画の外側に配設されている。
連通路１ｄは、第１区画１ａの底部と塗料スラッジ処理区画１ｃの底部とを連通させている。
【００１７】
第２区画１ｂの、二つの斜面を有する頂板１ｂ１が、ベンチュリーを通過した塗装ブース循環水を塗料スラッジ処理区画１ｃへ導く傾斜導水路を形成している。
頂板１ｂ１が形成する傾斜導水路の末端１ｂ２は、塗料スラッジ処理区画１ｃ内の塗装ブース循環水の水面よりも上方に位置決めされている。
【００１８】
塗料スラッジ処理区画１ｃは、第１区画１ａとの連通部を形成する一端部１ｃ１と、一端部１ｃ１から遠ざかった他端部１ｃ２との間で延在し、傾斜導水路の末端１ｂ２は、塗料スラッジ処理区画の他端部１ｃ２に対峙している。
塗料スラッジ処理区画１ｃの中央部１ｃ３に、他端部１ｃ２から一端部１ｃ１へ向かう塗装ブース循環水の流れに直交し且つ水面に達しない偏向堰１ｃ４が、着脱可能に設けられている。
【００１９】
塗料スラッジ処理区画１ｃの一端部１ｃ１の近傍に、他端部１ｃ２から一端部１ｃ１へ向かう塗装ブース循環水の流れに直交する第１堰１ｅ１と、他端部１ｃ２から一端部１ｃ１へ向かう塗装ブース循環水の流れに平行な第２堰１ｅ２と、によって塗料スラッジ処理区画１ｃから隔てられた循環ポンプ連通区画１ｅが形成されている。
第１堰１ｅ１の上縁は塗料スラッジ処理区画１ｃ内の塗装ブース循環水の水位よりも上方に在る。
第２堰１ｅ２の上縁部には、開口端幅が閉鎖端幅よりも狭いコ字断面の水位調整板１ｅ３が第２堰１ｅ２の上縁部を挟み込んで当該上縁部に弾性係合している。水位調整板１ｅ３の閉鎖端が形成する第２堰１ｅ２の上縁は、塗料スラッジ処理区画１ｃの他端部１ｃ２及び中央部１ｃ３内の塗装ブース循環水の水位と同一高さに在る。
第２堰１ｅ２の下部に開口１ｅ４が形成され、開口１ｅ４の面積を調整する調整板１ｅ５が上下移動可能に且つ所望位置に固定可能に第２堰１ｅ２に取り付けられている。
【００２０】
塗料スラッジ処理区画１ｃの長手方向一端部１ｃ１は、他端部１ｃ２や中央部１ｃ３に比べて狭幅となり、第２堰１ｅ２を間に挟んで循環ポンプ連通区画１ｅに隣接して延在している。
塗料スラッジ処理区画１ｃの長手方向一端部１ｃ１は、棚板１ｃ５によって上部区画１ｃ６と下部区画１ｃ７とに分割されている。上部区画１ｃ６は第２堰１ｅ２の上縁に対峙し、下部区画１ｃ７は連通路１ｄを介して第１区画１ａの底部に連通している。棚板１ｃ５は着脱可能である
塗料スラッジ処理区画１ｃと循環ポンプ連通区画１ｅの開放上端を覆う蓋部材３が配設されている。
【００２１】
塗装ブース循環水タンク１の作動と作用効果とを説明する。
図３に示すように、塗装ブース循環水タンク１は、塗装区画１００ａと洗浄塔１００ｂとを備える湿式塗装ブース１００の下方に配置され、湿式塗装ブース１００に接合されて作動する。
湾曲板２ａの上端部と、図１（ｂ）、（ｃ）に二点鎖線で示し、図３に一点鎖線で示す、湾曲板２ａの上端部に側方から近接対峙する塗装区画１００ａの側壁１００ａ１とが協働して、ベンチュリー２を形成している。
塗装ブース循環水タンク１においては、ベンチュリー２を構成する湾曲板２ａの直下の第２区画１ｂは、塗装ブース循環水が侵入しない水密区画なので、保守時に当該区画は点検の必要がない。この結果、保守作業の効率が向上する。
【００２２】
洗浄塔１００ｂに配置した排気ファン１００ｂ１が作動し、塗装区画１００ａ内の塗料ミストを含む空気と第１区画１ａ内の塗装ブース循環水とが、湾曲板２ａの凹表面に沿って共に上方へ吸引され、ベンチュリー２を通過して霧化した塗装ブース循環水微粒子に、空気に含まれる塗料ミストが吸収される。
ベンチュリー２を通過した塗料ミストを吸収した塗装ブース循環水は、ベンチュリー２の直上で側壁１００ａ１に取り付けられた案内板１００ａ２に案内されて側方下方へ差し向けられ、図１、図２（ｅ）に細白抜矢印で示すように、第２区画１ｂの頂板が形成する二つの斜面を有する傾斜導水絽１ｂ１を流れて、塗料スラッジ処理区画１ｃの長手方向他端部１ｃ２に上方から流れ込む。
第２区画１ｂの頂板１ｂ１が形成する傾斜導水路を介して、ベンチュリー２を通過した塗料ミストを含む塗装ブース循環水を、塗料スラッジ処理区画１ｃの最適部位へ導くことができる。
塗装ブース循環水タンク１においては、第１区画１ａとの連通部を形成する一端部１ｃ１から遠ざかった塗料スラッジ処理区画の他端部１ｃ２に、塗装ブース循環水を導いたので、塗料ミストを吸収した塗装ブース循環水の塗料スラッジ処理区画内１ｃでの滞留時間を長くなり、塗料スラッジの浮上が促進されている。
第２区画１ｂの頂板１ｂ１が形成する傾斜導水路の末端１ｂ２が、塗料スラッジ処理区画１ｃ内の塗装ブース循環水の水面よりも上方に位置決めされているので、ベンチュリー２を通過した塗料ミストを含む塗装ブース循環水は、確実に塗料スラッジ処理区画１ｃに流入することができる。
【００２３】
塗料スラッジ処理区画１ｃの長手方向他端部１ｃ２に上方から流れ込んだ塗装ブース循環水は、図１（ａ）と図２（ｅ）とに太白抜矢印で示すように、長手方向他端部１ｃ２の底部まで沈み込み、塗料スラッジ処理区画１ｃの長手方向一端部１ｃ１へ向けて流れ、塗料スラッジ処理区画１ｃの長手方向中央部１ｃ３に配設された、塗装ブース循環水の流れに直交し且つ水面に達しない偏向堰１ｃ４によって上方へ差し向けられ、偏向堰１ｃ４を乗り越えて流れて、塗料スラッジを水面上に浮上させた後、長手方向中央部１ｃ３の底部まで沈み込み、塗料スラッジ処理区画１ｃの長手方向一端部１ｃ１へ向けて流れる。水面上に浮上した塗料スラッジは、適宜人手によりまたは機械により除去される。
塗料スラッジ処理区画１ｃの他端部１ｃ２に上方から流入した塗装ブース循環水が、他端部１ｃ２の底部まで沈み込んだ後、偏向堰１ｃ４によって上方へ差し向けられ、塗料スラッジが水面上に浮上するので、塗料スラッジの回収作業効率が向上している。
偏向堰１ｃ４は着脱可能なので、塗装ブース循環水タンク１の保守作業時に、偏向堰１ｃ４を取り外して、保守作業の効率を向上させることができる。
【００２４】
塗料スラッジ処理区画１ｃの長手方向中央部１ｃ３の底部まで沈み込み、塗料スラッジ処理区画１ｃの長手方向一端部１ｃ１へ向けて流れた塗装ブース循環水は、長手方向一端部１ｃ１の上部区画１ｃ６と下部区画１ｃ７とに流入する。長手方向一端部１ｃ１は、長手方向他端部１ｃ２や長手方向中央部１ｃ３に比べて狭幅なので、長手方向他端部１ｃ２や長手方向中央部１ｃ３に比べて長手方向一端部１ｃ１の水位が上昇する。上部区画１ｃ６に流入した塗装ブース循環水は、図１（ａ）、（ｃ）図２（ｅ）に二重矢印で示すように、第２堰１ｅ２の上縁を越えてオーバーフローし、循環ポンプ連通区画１ｅに流入する。この結果、狭幅の長手方向他端部１ｃ２や長手方向中央部１ｃ３を含む塗料スラッジ処理区画１ｃ全体の水位が、延いては連通路１ｄを介して塗料スラッジ処理区画１ｃに連通する第１区画１ａの水位が、第２堰１ｅ２の上縁高さ位置に維持される。下部区画１ｃ７に流入した塗装ブース循環水は、連通路１ｄを介して第１区画１ａに還流する。
【００２５】
第２堰１ｅ２からオーバーフローして循環ポンプ連通区画１ｅに流入した塗装ブース循環水は、塗装区画１００ａに還流されて側壁１００ａ１に沿って流下するウォーターカーテン１００ａ３となり、また洗浄塔１００ｂに還流されて、案内板１００ａ２の直上に配設されたズル１００ｂ２から吐出する噴霧水１００ｂ３となる。第２堰１ｅ２からオーバーフローした塗装ブース循環水を湿式塗装ブース１００に還流させることにより、塗装ブース循環水タンク１の水位を適正値に維持しつつ、塗装ブースに塗装ブース１００に塗装ブース循環水を供給することができる。
塗料スラッジ処理区画１ｃ内の塗装ブース循環水の流れに平行に延在する第２堰１ｅ２から塗装ブース循環水をオーバーフローさせることにより、塗装ブース循環水の流れに直交する堰から塗装ブース循環水をオーバーフローさせる場合に比べて、循環ポンプ連通区画１ｅへの塗料スラッジの流入を抑制することができる。
水位調整板１ｅ３を配設したので、塗装ブース循環水タンク１の水位をベンチュリー２に最適な値に調整することができる。
循環ポンプの作動時に、循環ポンプ連通区画１ｅの水位が下がり、循環ポンプがエアを吸い込む事態が発生する可能性がある。第２堰１ｅ２の下部に開口１ｅ４を形成し、開口１ｅ４の面積を調整可能としたので、循環ポンプ連通区画１ｅの水位を、循環ポンプがエアの吸い込まず且つ塗料スラッジ処理区画との間に水位差が生ずる値に維持することができる。
【００２６】
第２堰１ｅ２に平行に延在する塗料スラッジ処理区画の一端部１ｃ１を、棚板１ｃ５を配設して、２堰１ｅ２の上縁に対峙する上部区画１ｃ６と、連通路１ｄを介して第１区画１ａの底部に連通する下部区画１ｃ７とに分割したので、第１区画１ａへの塗料スラッジの流入が防止されている。
棚板１ｃ５を着脱可能としたので、塗装ブース循環水タンク１の保守作業時に、棚板１ｃ５を取り外して、保守作業の効率を向上させることができる。
【００２７】
塗料スラッジ処理区画１ｃを、第２区画１ｂを間に挟んで第１区画１ａに対峙させたので、塗料スラッジ処理区画１ｃの長さを、第１区画１ａの長さ、ひいては湿式塗装ブースの塗装区画１００ａの長さと同一長さとして、塗料ミストを吸収した塗装ブース循環水の塗料スラッジ処理区画１ｃ内での滞留時間を長くし、塗料スラッジの浮上を促進することができる。
第１区画１ａと塗料スラッジ処理区画１ｃとの間の連通路１ｄが、第１区画１ａと第２区画１ｂと塗料スラッジ処理区画１ｃとに対峙して前記３区画の外側に配設されているので、前記３区画の構造が簡素化され、塗装ブース循環水タンク１の保守作業の効率が向上している。
第１区画１ａの底部と塗料スラッジ処理区画１ｃの底部とが連通路１ｄを介して連通しているので、第１区画１ａへの塗料スラッジの流入が防止されている。
【００２８】
図３から分かるように、塗装ブース循環水タンク１を、塗装区画１００ａと洗浄塔１００ｂとを備える湿式塗装ブース１００の下方に配置すると、第１区画１ａは塗装ブースの塗装区画１００ａで覆われ、第２区画１ｂは塗装ブースの洗浄塔１００ｂで覆われるが、塗料スラッジ処理区画１ｃは外部環境に暴露されることになる。塗料スラッジ処理区画１ｃの開放された上端を覆う蓋部材３を配設したので、塗料スラッジ処理区画１ｃ内の塗装ブース循環水に、外部環境から異物が混入する事態の発生が防止されている。
【００２９】
図示しないマイクロバブル発生装置を塗料スラッジ処理区画１ｃに接続しても良い。
マイクロバブルを塗装ブース循環水に混入させることにより、塗装ブース循環水中の塗料スラッジの分解が促進される。
塗装ブース循環水タンク１が取り付けられた湿式塗装ブース１００は、保守時に塗装ブース循環水タンク１の湾曲板２ａ直下の第２区画１ｂを点検する必要がないので、保守作業の効率が向上する。
【００３０】
図４に示すように、本発明の第２実施例に係る塗装ブース循環水タンク１’の構成は、塗料スラッジ処理区画１ｃが、第１区画１ａと第２区画１ｂとに対峙して前記２区画の外側に配設されている点と、塗料スラッジ処理区画１ｃの底部が第１区画１ａの底部に直接連通している点を除いて、第１実施例に係る塗装ブース循環水タンク１と同様である。
図１と図４とを比較すれば分かるように、塗料スラッジ処理区画１ｃを、第１区画１ａと第２区画１ｂとに対峙して前記２区画の外側に配設したので、塗装ブース循環水タンク１’は、塗装ブース循環水タンク１に比べて小型化されている。
また、塗料スラッジ処理区画１ｃは第１区画１ａに直接連通しているので、塗装ブース循環水タンク１のように第１区画１ａと塗料スラッジ処理区画１ｃとの間の連通路１ｄを別個設ける場合に比べて、塗装ブース循環水タンク１’の構造は簡素化されている。
【産業上の利用可能性】
【００３１】
本発明は、塗装区画と洗浄塔とを備える湿式塗装ブースの下方に配置される塗装ブース循環水タンクであって、側方に凸の湾曲板と湾曲板の上端部に側方から近接対峙する塗装区画側壁とで構成されるベンチュリーの構成部材である湾曲板を備える塗装ブース循環水タンクに広く利用可能である。
【符号の説明】
【００３２】
１、１‘  塗装ブース循環水タンク
１ａ  第１区画
１ｂ  第２区画
１ｃ  塗料スラッジ処理区画
１ｄ  連通路
２  ベンチュリー
２ａ  湾曲板
１００  湿式塗装ブース
１００ａ  塗装区画
１００ｂ  洗浄塔
【図１】
2019018173.tif 000003
【図２】
2019018173.tif 000004
【図３】
2019018173.tif 000005
【図４】
2019018173.tif 000006